(57)【要約】電子デバイスのためのマルチコンポーネントのケースを含むシステム、トポロジ、及び方法であって、一つのコンポーネントは、電気エネルギ蓄積素子を含み、別のコンポーネントからスライド自在に取り外すことができる、システム、トポロジ、及び方法。他の実施形態は、記載され、請求され得る。
2017514424.tif 000002
【特許請求の範囲】
【請求項１】
電力連結インタフェース及び外側周囲を含むポータブルのハンドヘルドモバイルデバイス（ＰＨＭＤ）装置のために、電力及びデバイス周囲保護を提供するマルチコンポーネントの装置であって、該マルチコンポーネントの装置は、
ＰＨＭＤへ連結されたときに、ＰＨＭＤの周囲の少なくとも６０％で係合する開口を形成する、少なくとも底面、左側面、及び右側面を含むフレームであって、その外側の左側面は、少なくともその一部に沿って伸長されたレール及びスロットの一つを含み、その外側の右側面は、少なくともその一部に沿って伸長されたレール及びスロットの一つを含むフレーム、を含む周囲保護モジュール（ＰＰＭ）と、並びに、
電力ソースモジュール（ＰＳＭ）であって、該電力ソースモジュールは、
自らの反対側に、伸長された左側ショルダ及び伸長された右側ショルダを伴う伸長された表面を含むシェルであって、左側ショルダの内側表面は、ＰＰＭの外側の左側面の少なくとも一部を伸長されたレール及びスロットの一つと係合するようにサイズ採りされた、伸長されたスロット及びレールの他方を含み、右側ショルダの内側表面は、ＰＰＭの外側の右側面の少なくとも一部を伸長されたレール及びスロットの一つと係合するようにサイズ採りされた、伸長されたスロット及びレールの他方を含む、シェル、
電気エネルギを蓄積し及び放出し、ＰＳＭの伸長された表面と一致するようにサイズ採りされる電気エネルギ蓄積モジュール（ＥＥＳＭ）、
電気エネルギを外部電力ソースから受け取るように構成される入力電気エネルギインタフェース（ＩＥＥＩ）、
電気エネルギをＰＨＭＤ電力連結インタフェースへ提供するように構成される出力電気エネルギインタフェース（ＯＥＥＩ）、並びに、
ＰＳＭのシェル内部に実質的に一致するようにサイズ採りされ、電気エネルギをＥＥＳＭ及びＩＥＥＩの一つからＯＥＥＩへ提供する制御モジュール、
を含む電力ソースモジュールと、
を含む、装置。
【請求項２】
前記制御モジュールは、ＰＳＭのシェル内部に実質的に一致するようにサイズ採りされるプリント回路基板を含む、請求項１に記載のマルチコンポーネントの装置。
【請求項３】
それぞれのレールは、断面において成形突起を有し、対になるスロットは、断面において突起成形レリーフを有する、請求項１に記載のマルチコンポーネントの装置。
【請求項４】
それぞれのレールは、断面においてダブテール成形突起を有し、対になるスロットは、断面においてダブテールくぼみを有する、請求項１に記載のマルチコンポーネントの装置。
【請求項５】
それぞれのレールは、断面において少なくとも半円成形突起を有し、対になるスロットは、断面において少なくとも半円成形レリーフを有する、請求項１に記載のマルチコンポーネントの装置。
【請求項６】
それぞれのレールは、突起及びくぼみの少なくとも一つを有し、対になるスロットは、ＰＰＭが実質的にＰＳＭ内部に取り付けられるときに、それぞれのレールを突起及びくぼみの他方と係合するように位置付けられた、くぼみ及び突起の少なくとも一つを有する、請求項１に記載のマルチコンポーネントの装置。
【請求項７】
それぞれのレールは、突起及びくぼみの少なくとも一つを有し、個々の対になるスロットは、ＰＰＭが実質的にＰＳＭ内部に取り付けられるときに、それぞれのレールを突起及びくぼみの他方と係合するように位置付けられた、くぼみ及び突起の少なくとも一つを有する、請求項１に記載のマルチコンポーネントの装置。
【請求項８】
ＰＨＭＤの周囲は、四つの側面を含むものであり、ＰＰＭは、ＰＨＭＤの周囲の四つの側面の少なくとも三つと確固として係合するようにサイズ採りされて、成形された部分を含むものである、請求項１に記載のマルチコンポーネントの装置。
【請求項９】
ＰＰＭは、型取りされた延在モジュールを含み、型取りされた延在モジュールは、複数のＰＨＭＤの周囲の、一つの四つの側面と確固として係合するようにサイズ採りされて、成形された周囲を含む、請求項８に記載のマルチコンポーネントの装置。
【請求項１０】
型取りされた延在モジュールの周囲は、少なくとも部分的に変形可能である、請求項９に記載のマルチコンポーネントの装置。
【請求項１１】
型取りされた延在モジュールは、少なくとも部分的に可撓性のある材料で形成される、請求項１０に記載のマルチコンポーネントの装置。
【請求項１２】
ＰＰＭは、延在モジュールと連結され、ＰＨＭＤの背面部分の少なくとも６０％と実質的に適合するようにサイズ採りされる背面部分を更に含む、請求項９に記載のマルチコンポーネントの装置。
【請求項１３】
型取りされた延在モジュールは、少なくとも部分的に可撓性のある材料で形成され、背面部分は、実質的に堅固な材料で形成される、請求項１２に記載のマルチコンポーネントの装置。
【請求項１４】
ＰＨＭＤは、携帯電話である、請求項１に記載のマルチコンポーネントの装置。
【請求項１５】
ＯＥＥＩは、標準電気コネクタである、請求項１に記載のマルチコンポーネントの装置。
【請求項１６】
ＩＥＥＩは、標準電気コネクタである、請求項１５に記載のマルチコンポーネントの装置。
【請求項１７】
ＯＥＥＩは、電気エネルギを誘導的に提供する、請求項１に記載のマルチコンポーネントの装置。
【請求項１８】
ＩＥＥＩは、電気エネルギを誘導的に受け取る、請求項１に記載のマルチコンポーネントの装置。
【発明の詳細な説明】
【技術分野】
【０００１】
本明細書に記載する様々な実施形態は、電子デバイスのケースの装置及びシステム、特に電気エネルギ蓄積素子を含み、電気エネルギ蓄積素子から、連結された電子デバイスへ、電気エネルギを提供するケースの装置及びシステムに関する。
【発明の概要】
【発明が解決しようとする課題】
【０００２】
電子デバイスを保護するために、又は電子デバイスの取り扱いを向上するために、カバーを電子デバイスの一つ又はそれ以上の部分に配置することが望ましくあり得る。必要に応じて、さらなるカバーの装置又はシステムから電気エネルギを提供することが、更に望ましくあり得る。本発明は、そのような装置及びシステムを含む。
【図面の簡単な説明】
【０００３】
【図１Ａ】図１Ａは、様々な実施形態に係る、第１のコンポーネント（Ｃ１）が、電子デバイスへ連結され、第２の電力供給されるコンポーネント（Ｃ２）へ向かって前進している、マルチコンポーネントの電力供給されるケース（ＭＰＣ）の簡略等角投影図である。
【図１Ｂ】図１Ｂは、様々な実施形態に係る、第１のコンポーネント（Ｃ１）が、電子デバイスへ連結され、第２の電力供給されるコンポーネント（Ｃ２）へ向かって更に前進している、マルチコンポーネントの電力供給されるケース（ＭＰＣ）の簡略等角投影図である。
【図１Ｃ】図１Ｃは、様々な実施形態に係る、第１のコンポーネント（Ｃ１）が、電子デバイスへ連結され、第２の電力供給されるコンポーネント（Ｃ２）へ向かって完全に前進した、マルチコンポーネントの電力供給されるケース（ＭＰＣ）の簡略等角投影図である。
【図１Ｄ】図１Ｄは、様々な実施形態に係る、第１のコンポーネント（Ｃ１）が、電子デバイスへ連結され、第２の電力供給されるコンポーネント（Ｃ２）へ向かって完全に前進した、マルチコンポーネントの電力供給されるケース（ＭＰＣ）の簡略背面図である。
【図１Ｅ】図１Ｅは、様々な実施形態に係る、電子デバイスへ連結される、マルチコンポーネントの電力供給されるケース（ＭＰＣ）の第１のコンポーネント（Ｃ１）の第１のモジュールの簡略等角投影図である。
【図１Ｆ】図１Ｆは、様々な実施形態に係る、電子デバイスへ連結される、マルチコンポーネントの電力供給されるケース（ＭＰＣ）の第１のコンポーネント（Ｃ１）の第１のモジュール及び第２のモジュールの簡略等角投影図である。
【図２Ａ】図２Ａは、様々な実施形態に係る、マルチコンポーネントの電力供給されるケース（ＭＰＣ）の簡略等角投影図である。
【図２Ｂ】図２Ｂは、様々な実施形態に係る、別のマルチコンポーネントの電力供給されるケース（ＭＰＣ）の簡略等角投影図である。
【図３Ａ】図３Ａは、様々な実施形態に係る、マルチコンポーネントの電力供給されるケース（ＭＰＣ）の第１のコンポーネント（Ｃ１）のモジュールの簡略な、展開された、等角投影図である。
【図３Ｂ】図３Ｂは、様々な実施形態に係る、マルチコンポーネントの電力供給されるケース（ＭＰＣ）の第１のコンポーネント（Ｃ１）の簡略正面図である。
【図３Ｃ】図３Ｃは、様々な実施形態に係る、マルチコンポーネントの電力供給されるケース（ＭＰＣ）の第１のコンポーネント（Ｃ１）の簡略背面図である。
【図３Ｄ】図３Ｄは、様々な実施形態に係る、マルチコンポーネントの電力供給されるケース（ＭＰＣ）の第１のコンポーネント（Ｃ１）の簡略左側面図である。
【図３Ｅ】図３Ｅは、様々な実施形態に係る、マルチコンポーネントの電力供給されるケース（ＭＰＣ）の第１のコンポーネント（Ｃ１）の簡略右側面図である。
【図３Ｆ】図３Ｆは、様々な実施形態に係る、マルチコンポーネントの電力供給されるケース（ＭＰＣ）の第１のコンポーネント（Ｃ１）の簡略上面図である。
【図３Ｇ】図３Ｇは、様々な実施形態に係る、マルチコンポーネントの電力供給されるケース（ＭＰＣ）の第１のコンポーネント（Ｃ１）の簡略底面図である。
【図３Ｈ】図３Ｈは、様々な実施形態に係る、マルチコンポーネントの電力供給されるケース（ＭＰＣ）の第１のコンポーネント（Ｃ１）の簡略な、拡大された、部分的な等角投影図である。
【図３Ｉ】図３Ｉは、様々な実施形態に係る、マルチコンポーネントの電力供給されるケース（ＭＰＣ）の第１のコンポーネント（Ｃ１）の簡略な、更に拡大された、部分的な等角投影図である。
【図４Ａ】図４Ａは、様々な実施形態に係る、マルチコンポーネントの電力供給されるケース（ＭＰＣ）の第２の電力供給されるコンポーネント（Ｃ２）の簡略正面図である。
【図４Ｂ】図４Ｂは、様々な実施形態に係る、マルチコンポーネントの電力供給されるケース（ＭＰＣ）の第２の電力供給されるコンポーネント（Ｃ２）の簡略背面図である。
【図４Ｃ】図４Ｃは、様々な実施形態に係る、マルチコンポーネントの電力供給されるケース（ＭＰＣ）の第２の電力供給されるコンポーネント（Ｃ２）の簡略左側面図である。
【図４Ｄ】図４Ｄは、様々な実施形態に係る、マルチコンポーネントの電力供給されるケース（ＭＰＣ）の第２の電力供給されるコンポーネント（Ｃ２）の簡略右側面図である。
【図４Ｅ】図４Ｅは、様々な実施形態に係る、マルチコンポーネントの電力供給されるケース（ＭＰＣ）の第２の電力供給されるコンポーネント（Ｃ２）の簡略上面図である。
【図４Ｆ】図４Ｆは、様々な実施形態に係る、マルチコンポーネントの電力供給されるケース（ＭＰＣ）の第２の電力供給されるコンポーネント（Ｃ２）の簡略底面図である。
【図４Ｇ】図４Ｇは、様々な実施形態に係る、マルチコンポーネントの電力供給されるケース（ＭＰＣ）の第２の電力供給されるコンポーネント（Ｃ２）の簡略な、拡大された、部分的な等角投影図である。
【図４Ｈ】図４Ｈは、様々な実施形態に係る、マルチコンポーネントの電力供給されるケース（ＭＰＣ）の第２の電力供給されるコンポーネント（Ｃ２）の簡略な、更に拡大された、部分的な等角投影図である。
【図５Ａ】図５Ａは、様々な実施形態に係る、マルチコンポーネントの電力供給されるケース（ＭＰＣ）の第１のコンポーネント（Ｃ１）の第１のモジュールの簡略正面図である。
【図５Ｂ】図５Ｂは、様々な実施形態に係る、マルチコンポーネントの電力供給されるケース（ＭＰＣ）の第１のコンポーネント（Ｃ１）の第１のモジュールの簡略背面図である。
【図５Ｃ】図５Ｃは、様々な実施形態に係る、マルチコンポーネントの電力供給されるケース（ＭＰＣ）の第１のコンポーネント（Ｃ１）の第１のモジュールの簡略左側面図である。
【図５Ｄ】図５Ｄは、様々な実施形態に係る、マルチコンポーネントの電力供給されるケース（ＭＰＣ）の第１のコンポーネント（Ｃ１）の第１のモジュールの簡略右側面図である。
【図５Ｅ】図５Ｅは、様々な実施形態に係る、マルチコンポーネントの電力供給されるケース（ＭＰＣ）の第１のコンポーネント（Ｃ１）の第１のモジュールの簡略上面図である。
【図５Ｆ】図５Ｆは、様々な実施形態に係る、マルチコンポーネントの電力供給されるケース（ＭＰＣ）の第１のコンポーネント（Ｃ１）の第１のモジュールの簡略底面図である。
【図６Ａ】図６Ａは、様々な実施形態に係る、マルチコンポーネントの電力供給されるケース（ＭＰＣ）の第１のコンポーネント（Ｃ１）の第２のモジュールの簡略正面図である。
【図６Ｂ】図６Ｂは、様々な実施形態に係る、マルチコンポーネントの電力供給されるケース（ＭＰＣ）の第１のコンポーネント（Ｃ１）の第２のモジュールの簡略背面図である。
【図６Ｃ】図６Ｃは、様々な実施形態に係る、マルチコンポーネントの電力供給されるケース（ＭＰＣ）の第１のコンポーネント（Ｃ１）の第２のモジュールの簡略左側面図である。
【図６Ｄ】図６Ｄは、様々な実施形態に係る、マルチコンポーネントの電力供給されるケース（ＭＰＣ）の第１のコンポーネント（Ｃ１）の第２のモジュールの簡略右側面図である。
【図６Ｅ】図６Ｅは、様々な実施形態に係る、マルチコンポーネントの電力供給されるケース（ＭＰＣ）の第１のコンポーネント（Ｃ１）の第２のモジュールの簡略上面図である。
【図６Ｆ】図６Ｆは、様々な実施形態に係る、マルチコンポーネントの電力供給されるケース（ＭＰＣ）の第１のコンポーネント（Ｃ１）の第２のモジュールの簡略底面図である。
【図７Ａ】図７Ａは、様々な実施形態に係る、別のマルチコンポーネントの電力供給されるケース（ＭＰＣ）の第１のコンポーネント（Ｃ１）のモジュールの簡略な、展開された、等角投影図である。
【図７Ｂ】図７Ｂは、様々な実施形態に係る、第１のコンポーネント（Ｃ１）が、電子デバイスへ連結され、第２の電力供給されるコンポーネント（Ｃ２）へ完全に前進した、別のマルチコンポーネントの電力供給されるケース（ＭＰＣ）の簡略背面図である。
【図８Ａ】図８Ａは、様々な実施形態に係る、誘導ベースのパワーモジュールの簡略ブロック図である。
【図８Ｂ】図８Ｂは、様々な実施形態に係る、コネクタベースのパワーモジュールの簡略ブロック図である。
【図８Ｃ】図８Ｃは、様々な実施形態に係る、誘導のみをベースにするパワーモジュールの簡略ブロック図である。
【図８Ｄ】図８Ｄは、様々な実施形態に係る、非誘導ベースのパワーモジュールの簡略ブロック図である。
【発明を実施するための形態】
【０００４】
図１Ａは、電子デバイス３０Ａへ連結されるマルチコンポーネントの電力供給されるケース（ＭＰＣ）システム５Ａを含む構造１００Ａの簡略等角投影図である。ＭＰＣシステム５は、第１のコンポーネント（Ｃ１）２０Ａ、及び第２のコンポーネント（Ｃ２）１０Ａを含み得る。実施形態において、第１のコンポーネント（Ｃ１）２０Ａは、第２のコンポーネント（Ｃ２）へ、スライド自在に連結可能であり得る。図１Ａに示すように、Ｃ１  ２０Ａは、電子デバイス３０Ａの一部を確固として覆うように構成され得る。Ｃ２  １０Ａは、パワーモジュール１１０Ａ、１１０Ｂ（図８Ａ及び図８Ｂ）を含み得、パワーモジュール１１０Ａ、１１０Ｂ（図８Ａ及び図８Ｂ）は、Ｃ１  ２０ＡがＣ２  １０Ａへ連結されているときに、電気エネルギを電子デバイス３０Ａへ提供し得る。
【０００５】
ＭＰＣシステム５Ａの第１のコンポーネント（Ｃ１）２０Ａは、第２のコンポーネント（Ｃ２）１０Ａのレール１４Ａ、１４Ｂとスライド自在に対になるようにサイズ採りされて、構成される、レール開口２４Ａ、２４Ｂを含み得る。ＭＰＣシステム５Ａの第１のコンポーネント（Ｃ１）２０Ａは、第２のコンポーネント（Ｃ２）１０Ａのレールくぼみ１５Ａ、１５Ｂとスライド自在に対になるようにサイズ採りされて、構成される、レール延在部を含み得る。実施形態において、Ｃ１  ２０Ａは、レール延在部２５Ａ、２５Ｂが、第２のコンポーネント（Ｃ２）１０Ａのレールくぼみ１５Ａ、１５Ｂと対になるまで、Ｃ２  １０Ａの上面のエッジ１２ＥからＣ２  １０Ａのベース１２Ｃへ向かって下方向にスライドし得、抵抗力を、レールＣ２  １０Ａのレール１４Ａ、１４Ｂに沿った、下方向の又は上方向の、Ｃ２  １０Ａに対するＣ１  ２０Ａの更なる動作に加える。
【０００６】
図１Ａに示すように、ＭＰＣシステム５Ａの第１のコンポーネント（Ｃ１）２０Ａは、外側の周囲２２Ａ及びモジュールシェル２８Ａと対になる内側のデバイスを含み得る。ＭＰＣシステム５Ａの第２のコンポーネント（Ｃ２）１０Ａは、右側ショルダ１２Ａ、左側ショルダ１２Ｂ、ベース１２Ｃ、内側の背面１２Ｄ、上面のエッジ１２Ｅ、及び外側背面１２Ｆを含み得る。第２のコンポーネント（Ｃ２）１０Ａの、内側の背面１２Ｄと近接する右側ショルダ１２Ａの内側は、右側レール１４Ａを含み得る。内側の背面１２Ｄと近接する第２のコンポーネント（Ｃ２）１０Ａの左側ショルダ１２Ｂの内側は、左側レール１４Ｂを含み得る。第２のコンポーネント（Ｃ２）１０Ａは、カメラ３２Ｂ、近距離無線通信モジュール３２Ｃ、及びスピーカ３２Ｄを含む一つ又はそれ以上の電子デバイス３０Ａのコンポーネントに対応する、開口又は窓１７Ａ、１７Ｂ、１７Ｃを含み得る。第１のコンポーネント（Ｃ１）２０Ａの周囲２２Ａは、ヘッドフォンジャックポート３２Ｅ、ユーザ制御モジュール３２Ｆ、及び電子インタフェースモジュール３２Ｇを含む一つ又はそれ以上の電子デバイス３０Ａに対応する、開口又は窓２７Ａ、２７Ｂ、２７Ｃを含み得る。
【０００７】
図１Ｂは、様々な実施形態に係る、第１のコンポーネント（Ｃ１）２０Ａが、電子デバイスへ連結され、第２の電力供給されるコンポーネント（Ｃ２）１０Ａに向かって更に前進した、マルチコンポーネントの電力供給されるケース（ＭＰＣ）５Ａの簡略等角投影図である。図１Ｃは、様々な実施形態に係る、第１のコンポーネント（Ｃ１）２０Ａが、電子デバイス３０Ａへ連結され、第２の電力供給されるコンポーネント（Ｃ２）１０Ａへ、完全に前進し連結された、電力供給されるマルチコンポーネントのケース（ＭＰＣ）５Ａの簡略等角投影図である。述べたように、ＭＰＣシステム５Ａの第１のコンポーネント（Ｃ１）２０Ａは、第２のコンポーネント（Ｃ２）１０Ａのレール１４Ａ、１４Ｂとスライド自在に対になるようにサイズ採りされて、構成されるレール開口２４Ａ、２４Ｂを含み得る。実施形態において、レール開口２４Ａ、２４Ｂ及びレール１４Ａ、１４Ｂは、Ｃ１  ２０Ａが、小さい、わずかな抵抗を、コンポーネントＣ１  ２０ＡとＣ２  １０Ａとの間に生じつつも、スライドし得るように、サイズ採りされる。
【０００８】
実施形態において、ＭＰＣシステム５Ａの第１のコンポーネント（Ｃ１）２０Ａは、第２のコンポーネント（Ｃ２）１０Ａのレールくぼみ１５Ａ、１５Ｂとスライド自在に対になるようにサイズ採りされて構成されるレール延在部２５Ａ、２５Ｂを更に含み得る。実施形態において、Ｃ１  ２０Ａが、図１Ｃに示すように、Ｃ２  １０Ａへ更に前進して、連結されると、レール延在部２５Ａ、２５Ｂは、第２のコンポーネント（Ｃ２）１０Ａのレールくぼみ１５Ａ、１５Ｂと近接して、連結され／対になり得る。延在部２５Ａ、２５Ｂとくぼみ１５Ａ、１５Ｂとの間のそのような対は、Ｃ１  ２０Ａが、Ｃ２  １０Ａから分離することを防ぐのに十分な抵抗力を意図せずとも提供し得る。抵抗力は、しかしながら、図１Ａ及び図１Ｂに示すように、Ｃ２  １０Ａから離れて、Ｃ１  ２０Ａを上方向に進めることによって、コンポーネントＣ１  ２０Ａ、Ｃ２  １０Ａを分離することを意図するユーザによって、克服され得る。
【０００９】
図１Ｄは、様々な実施形態に係る、第１のコンポーネント（Ｃ１）２０Ａが、電子デバイス３０Ａへ連結され、完全に前進し、第２の電力供給されるコンポーネント（Ｃ２）１０Ａと連結される、マルチコンポーネントの電力供給されるケース（ＭＰＣ）５Ａを含む、構造１００Ａの簡略背面図である。図１Ｄに示すように、Ｃ２  １０Ａは、カメラ３２Ｂ及び近距離無線通信モジュール３２Ｃを含む一つ又はそれ以上の電子デバイス３０Ａと対応し得る、複数の開口又は窓１７Ａ及び１７Ｂを有する。図１Ｄにも示すように、第２のコンポーネント１０Ａは、誘導ベースのパワーモジュール１１０Ａを含み得る。図１Ｄ及び図８Ａに示すように、誘導ベースのパワーモジュール１１０Ａは、電気エネルギ蓄積モジュール１６Ａ、制御モジュール１６Ｂ、ユーザ制御ディスプレイモジュール１６Ｃ、誘導充電モジュール１６Ｄ、及び外部パワーインタフェース１６Ｅを含み得る。パワーモジュール１１０Ａは、電力を、電子デバイス３０Ａへ、誘導を介して（誘導モジュール１６Ｄを介して）提供し得る。パワーモジュール１１０Ａは、誘導を介して（誘導モジュール１６Ｄを介して）、又は外部パワーインタフェースモジュール１６Ｅを介して直接的に、電気エネルギを受け取り得る。
【００１０】
図８Ｃに示す別の実施形態において、Ｃ２のパワーモジュール１１０Ｃは、誘導のみをベースにするモジュールであり得る。誘導のみのパワーモジュール１１０Ｃは、外部パワーインタフェース１６Ｅを含み得ない。パワーモジュール１１０Ｃは、電力を、電子デバイス３０Ａへ、誘導を介して（誘導モジュール１６Ｄを介して）提供し得る。パワーモジュール１１０Ｃは、電気エネルギを、誘導（誘導モジュール１６Ｄ）を介して受け取り得る。図８Ｂに示すさらなる実施形態において、パワーモジュール１１０Ｂは、電子デバイスインタフェース１６Ｆ及び誘導モジュール１６Ｄを含み得る。パワーモジュール１１０Ｂは、電力を、電子デバイス３０Ａへ、誘導又は直接接続を介して（電子デバイスインタフェースモジュール１６Ｆを介して）提供し得る。パワーモジュール１１０Ｂは、電気エネルギを、誘導（誘導モジュール１６Ｄ）を介して、又は外部パワーインタフェースモジュール１６Ｅを介して直接的に、受け取ってもよい。
【００１１】
図８Ｄは、様々な実施形態に係る、非誘導ベースのパワーモジュール１１０Ｄの簡略ブロック図である。パワーモジュール１１０Ｄは、電力を、電子デバイス３０Ａへ、直接接続を介して（電子デバイスインタフェースモジュール１６Ｆを介して）提供し得る。パワーモジュール１１０Ｄは、外部パワーインタフェースモジュール１６Ｅを介して直接的に、電気エネルギを受け取り得る。実施形態において、パワーモジュールの１１０Ａ−１１０Ｄの電気エネルギ蓄積モジュール１６Ａは、電気エネルギを蓄積すること及び放出することが可能な一つ又はそれ以上の素子を含み得る。素子は、バッテリ、キャパシタ、又は他のエネルギ蓄積デバイスを含み得る。ユーザ制御ディスプレイモジュール１６Ｃは、一つ又はそれ以上の入力素子又は一つ又はそれ以上の出力素子を含み得る。入力素子は、スライド可能な又は押下可能な素子を含み得る。出力素子は、光生成又は音生成デバイスを含むユーザ検知可能なデバイスを含み得る。光生成デバイスは、一つ又はそれ以上の発光ダイオード及び変色デバイスを含み得る。
【００１２】
誘導充電モジュール１６Ｄは、磁場を生成する一次コイルを含み得る。電子デバイス３０Ａは、磁場から電流を誘導し得る相補的な二次コイルを含み得る。実施形態において、誘導充電モジュール１６Ｄは、別の誘導コイルによって生成される磁場から電流を誘導し得る。そのような実施形態において、パワーモジュールの１１０Ａ−１１０Ｃの誘導モジュール１６Ｄは、電気エネルギを、別の誘導モジュールから受け取り、電気エネルギを、別の誘導モジュールへ提供し得る。外部パワーインタフェースを含むパワーモジュール１１０Ａ、１１０Ｂ、１１０Ｄにおいて、パワーモジュールは、外部から直接的に電気エネルギを受け取り得る。パワーモジュール１１０Ａ−１１０Ｄにおいて、受け取った電気エネルギは、充電するために、又はエネルギモジュール１６Ａの蓄積レベルを増加するために用いられ得る。受け取った電気エネルギは、電気エネルギを、電子デバイス３０Ａへ、直接的に又は誘導を介して提供するために用いられ得る。
【００１３】
ユーザは、パワーモジュール１１０Ａ−１１０Ｄが、電気エネルギを、電子デバイス３０Ａへ、ユーザ入力−出力モジュール１６Ｃを介して提供するかどうかを決定し得る。ユーザは、ユーザ入力−出力モジュール１６Ｃを介して、パワーモジュール１１０Ａ−１１０Ｄの作動状態に注目しても良い。出力信号は、パワーモジュール１１０Ａ−１１０Ｄが、電気エネルギを受け取っているかどうか、電気エネルギを放電しているかどうか、及びエネルギモジュール１６Ａの蓄積レベルを示し得る。ユーザ入力−出力モジュール１６Ｃは、変色モジュールを含むそのような指示を提供する一つ又はそれ以上の光生成モジュールを採用し得る。
【００１４】
実施形態において、パワーモジュール１１０Ａ−１１０Ｄの制御モジュール１６Ｂは、プリント回路基板（ＰＣＢ）、プロセッサ、及び特定用途向け集積回路（ＡＳＩＣ）を含み得る。ユーザ入力−出力モジュール１６Ｃを介するユーザ選択に基づく制御モジュール１６Ｂは、エネルギを、電子デバイス３０Ａへ提供し得る。制御モジュール１６Ｂは、エネルギを、エネルギ蓄積モジュール１６Ａ又は外部ソースから、（誘導モジュール１６Ｄ又は外部パワーインタフェース１６Ｅを介して、）外部ソースからのエネルギレベル、エネルギ蓄積モジュール１６Ａのレベル、及びユーザ選択の関数として、方向付け得る。ある実施形態において、制御モジュール１６Ｂは、電気エネルギを、電子デバイス３０Ａへ、誘導モジュール１６Ｄ又は電子デバイスインタフェース１６Ｆを介して、電子デバイス３０Ａ及びユーザ選択の関数として、提供し得る。電子デバイスインタフェース１６Ｆは、ユニバーサルシリアルバス（ＵＳＢ）プロトコルによるコンパイリングを含む標準インタフェース、又はデバイス特有のインタフェースを有し、又は適合し得る。同様に、外部パワーインタフェース１６Ｅは、ユニバーサルシリアルバス（ＵＳＢ）プロトコルによるコンパイリングを含む標準インタフェース、又はデバイス特有のインタフェースを有し、又は適合し得る。
【００１５】
図１Ｅは、様々な実施形態に係る、電子デバイス３０Ａへ連結される、マルチコンポーネントの電力供給されるケース（ＭＰＣ）５Ａの第１のコンポーネント（Ｃ１）の第１のモジュール２２Ａの簡略等角投影図である。実施形態において、ＭＰＣ  ５Ａの第１のコンポーネントＣ１  ２０Ａは、二つの分離可能なモジュール２２Ａ及び２８Ａを含み得る。モジュール２２Ａは、周囲モジュールであり、エラストマ、ポリマ、ラバー、及びシリコンを含む少なくとも半可撓性の材料で形成され得る。他のＣ１  ２０Ａのモジュール２８Ａは、背面シェルであり、より固い又は同様の可撓性の材料で形成され得る。実施形態において、Ｃ１  ２０Ａの周囲モジュール２２Ａは、電子デバイス３０Ａの周囲へ配置され、又は連結され得る。その後、Ｃ１  ２０Ａの背面シェル２８Ａは、図１Ｆに示すように、Ｃ１  ２０Ａの周囲モジュール２２Ａ及び電子デバイス３０Ａへ連結され得る。
【００１６】
別の実施形態において、Ｃ１  ２８Ａの背面シェル２８Ａは、電子デバイス３０Ａの背面部分へ、配置され、連結され、又は一時的に保持され得る。その後、Ｃ１  ２０Ａの周囲モジュール２２Ａは、Ｃ１  ２０Ａの背面シェル２８Ａ及び電子デバイス３０Ａへ連結され得る。さらなる実施形態において、Ｃ１  ２０Ａの周囲モジュール２２Ａ及びＣ１  ２０Ａの背面シェル２８Ａは、共に連結され得る。その後、組み合わされたＣ１  ２０Ａのモジュール２２Ａ及び２８Ａは、電子デバイス３０Ａへ連結され得る。実施形態において、Ｃ１  ２０Ａの周囲モジュール２２Ａ、及びＣ１  ２０Ａの背面シェル２８Ａは、ユーザに、ユーザデバイス３０Ａ上への設置のために提供されるときに、固定自在に共に連結され得る。
【００１７】
Ｃ１  ２０Ａの第１の周囲モジュール２２Ａは、電子デバイス３０Ａの正面３２Ａの一部にわたる、及び一部をカバーする内側リップ２２Ｂを含み得る。Ｃ１  ２０Ａの第２のシェルモジュール２８Ａは、一つ又はそれ以上の電子デバイスの３０Ａの要素３２Ｂ、３２Ｃを露出するように形成される、一つ又はそれ以上の開口２９Ａ、２９Ｂ以外の電子デバイスの３０Ａの背面部分の一部をカバーし得る。ＭＰＣ  ５Ａの第１のコンポーネントＣ１  ２０Ａは、電子デバイス３０Ａをカバーし、保護し、取り扱いのしやすさを提供し得る。さらなるサポート又は電力が、電子デバイス３０Ａに必要とされる際に、ユーザは、図１Ａ−１Ｃに示すように、電子デバイス３０Ａを、ＭＰＣ  ５Ａの第２のコンポーネント２０Ａへ、第１のコンポーネント１０Ａを介して、連結し得る。第１のコンポーネントＣ１を第２のコンポーネントＣ２と連結すると、ＭＰＣ  ５Ａのパワーモジュール１１０Ａ−１１０Ｄは、電力を、電子デバイス３０Ａへ、誘導モジュール１６Ｄ、又は電子デバイスインタフェース１６Ｆを介して、自動的に提供し得る。実施形態において、ユーザは、電力を、電子デバイス３０Ａへ、誘導モジュール１６Ｄ又は電子デバイスインタフェース１６Ｆを介して提供するために、パワーモジュール１１０Ａ−１１０Ｄを、ユーザ入力−出力モジュール１６Ｃを介して管理する。
【００１８】
図２Ａは、様々な実施形態に係る、マルチコンポーネントの電力供給されるケース（ＭＰＣ）５ＡのコンポーネントＣ１  ２０Ａ及びＣ２  １０Ａの簡略等角投影図である。図２Ａに示すＭＰＣ  ５Ａは、パワーモジュール１１０Ａ又は１１０Ｃを含み得、電子デバイスインタフェース１６Ｆを含み得ない。図２Ａに示すように、コンポーネントＣ１  ２０Ａ及びＣ２  １０Ａは、コンポーネントＣ１  ２０Ａ及びＣ２  １０Ａが図１Ｃ及び図１Ｄに示すように完全に連結されているときに共に位置合わせされた、開口２９Ａ、１７Ａ、及び２９Ｂ、１７Ｂを含み得る。第２のコンポーネントＣ２  １０Ａは、図１Ａ−１Ｄに示すように、電子デバイス３０Ａの周囲又は外面を完全には取り囲まないので、第１のコンポーネントＣ１  ２０Ａのみが、他の電子デバイス３０Ａの要素に対して開口２７Ａ及び２７Ｂを含む。更に、第２のコンポーネントＣ２  １０Ａの側面１２Ａ、１２Ｂは、図１Ａ−１Ｄに示すように、電子デバイス３０Ａの側面に沿って完全には伸長しない。そのときの構成によりＣ２  １０Ａのアーム１２Ａ、１２Ｂより上の、Ｃ１  ２０Ａの周囲２２Ａ上に握持領域を作成することによって、ユーザは、所望の際に、Ｃ１  ２０ＡをＣ２  １０Ａから、より簡単に取り外し、又は分離することができる。
【００１９】
図２Ｂは、様々な実施形態に係る、マルチコンポーネントの電力供給されるケース（ＭＰＣ）５ＢのコンポーネントＣ１  ２０Ｂ及びＣ２  １０Ｂの簡略等角投影図である。図２Ｂに示すＭＰＣ  ５Ｂは、パワーモジュール１１０Ｂ又は１１０Ｄを含み得、電子デバイスインタフェース１６Ｆを含み得る。コンポーネントＣ２  １０Ｂは、図２Ｂに示すように、電子デバイスコネクタ１３Ａを含み得る。コネクタ１３Ａは、対応する電子デバイス３０Ａの電子インタフェースモジュール３２Ｇを位置合わせするように配置され得る。コネクタ１３Ａは、パワーモジュール１１０Ｂ、１１０Ｄ、電子デバイスインタフェース１６Ｆへ電気的に連結され得る。ＭＰＣ  ５Ｂの第１のコンポーネントＣ１  １０Ｂは、Ｃ２  ２０Ｂのコネクタ１３Ａと共に位置合わせされる開口２９Ｅを含み得る。開口２９Ｅは、Ｃ１  １０Ｂが、Ｃ２  ２０Ｂへ完全に連結され、電子デバイス３０Ａが、Ｃ１  ２０Ｂへ連結されると、コネクタ１３Ａが、Ｃ１  １０Ｂを通って、電子デバイス３０Ａのインタフェース３２Ｇまで伸長することを可能にし得る。
【００２０】
図３Ａは、様々な実施形態に係る、マルチコンポーネントの電力供給されるケース（ＭＰＣ）５Ａの第１のコンポーネント（Ｃ１）２０Ａのモジュール２２Ａ及び２８Ａの簡略な、展開された、等角投影図である。図３Ａに示すように、Ｃ１  ２０Ａのモジュール２２Ａは、フロントリップ２８Ｂ、第１の電子デバイスボタン延在部２２Ｃ、背面延在部２２Ｈ、左上の開口２７Ａ、右上の開口２７Ｂ、及び下中央の開口２７Ｃを含み得る。Ｃ１  ２０Ａのモジュール２８Ａは、左側面上側のボタン開口２８Ｂ、右側面上側のボタン開口２８Ｃ、レールくぼみ２４Ａ、レール延在部２５Ａ、内側背面部２８Ｆ内の上側背面開口２９Ａ、左下の開口２９Ｂ、底面中央開口２９Ｃ、底面右側開口２９Ｄ、第１の入れ子可能なカバー部２３Ａ、及び第２の入れ子可能なカバー部２３Ｂを含み得る。第１のカバー部２３Ａは、開口２９Ｃ及び２７Ｃを係合するようにサイズ採りされて、形成され得る。第２のカバー部２３Ｂは、開口２９Ｄを係合するようにサイズ採りされて、形成され得る。モジュール２２Ａの背面延在部２２Ｈは、モジュール２８Ａの外側背面部２８Ｇに適合し得、及びモジュール２８Ａの外側背面部２８Ｇを係合し得る。ボタンカバー２２Ｃ（及び図３Ｄに示す２２Ｅ）は、モジュール２８Ａが、モジュール２２Ａ（図２Ａを参照）へ連結されているときに、モジュール２８Ａのボタン開口２８Ｃ、２８Ｂと共に位置合わせされ得る。同様に、開口２７Ｃは、モジュール２８Ａが、モジュール２２Ａへ連結されているときに、開口２９Ｃと共に位置合わせされ得る。
【００２１】
図３Ｂは、様々な実施形態に係る、マルチコンポーネントの電力供給されるケース（ＭＰＣ）５Ａの第１のコンポーネント（Ｃ１）２０Ａの簡略正面図であり、図３Ｃは、簡略背面図である。図３Ｂ及び図３Ｃに示すように、Ｃ１  ２０Ａは、内側背面部２８Ｆ、外側背面部２８Ｇ、左側面２８Ｈ、右側面２８Ｉ、左側面上側ボタン延在部２２Ｅ、右側面上側ボタン延在部２２Ｃ、デバイスの要素の開口２９Ａ及び２９Ｂ、並びに入れ子可能なカバー部２３Ａ及び２３Ｂを含み得る。図３Ｄは、様々な実施形態に係る、マルチコンポーネントの電力供給されるケース（ＭＰＣ）５Ａの第１のコンポーネント（Ｃ１）２０Ａの簡略左側面図であり、図３Ｅは、簡略右側面図である。図３Ｄ及び３Ｅに示すように、Ｃ１  ２０Ａは、右側面２８Ｉ上のレールくぼみ２４Ａ及びレール延在部２５Ａ、並びに左側面２８Ｈ上のレールくぼみ２４Ｂ及びレール延在部２５Ｂを含み得る。図３Ｆは、様々な実施形態に係る、マルチコンポーネントの電力供給されるケース（ＭＰＣ）５Ａの第１のコンポーネント（Ｃ１）２０Ａの簡略上面図であり、図３Ｇは、簡略底面図である。図３Ｆ及び図３Ｇに示すように、デバイスのボタン延在部２２Ｃ及び２２Ｅは、側面２８Ｈ、２８Ｉを超えて伸長し得る。そのような伸長により、ユーザは、ボタンを、巧妙に配置することができる。
【００２２】
図３Ｈは、様々な実施形態に係る、マルチコンポーネントの電力供給されるケース（ＭＰＣ）５Ａの第１のコンポーネント（Ｃ１）２０Ａの、簡略な、拡大された、部分的な等角投影図であり、図３Ｉは、簡略な、更に拡大された、部分的な等角投影図である。図３Ｈ及び図３Ｉに示すように、レール延在部２５Ａは、上側のレール入れ込み２５Ｃ、下側のレール入れ込み２５Ｄ、及びくぼんだ圧迫部２５Ｅを含み得る。レール延在部２５Ａの要素２５Ｃ、２５Ｄ及び２５Ｅにより、対応するレール切り込み１５Ａ（図４Ａ）は、レール延在部２５Ａを圧して、入れ子にすることができる。
【００２３】
図４Ａは、様々な実施形態に係る、マルチコンポーネントの電力供給されるケース（ＭＰＣ）５Ａの第２の電力供給されるコンポーネント（Ｃ２）１０Ａの簡略正面図であり、図４Ｂは、簡略配面図である。図４Ａ及び図４Ｂに示すように、ＭＰＣ  ５ＡのＣ２  １０Ａは、右側ショルダ１２Ａ、左側ショルダ１２Ｂ、ベース１２Ｃ、内側背面部１２Ｄ、外側背面部１２Ｆ、上面エッジ１２Ｅ、左側レール１４Ｂ、左側レール切り込み１５Ｂ、右側レール１４Ａ、右側レール切り込み１５Ａ、パワーモジュール１１０Ａ、及びデバイス開口１７Ａ、１７Ｂ、１７Ｃを含み得る。図４Ｃは、様々な実施形態に係る、マルチコンポーネントの電力供給されるケース（ＭＰＣ）５Ａの第２の電力供給されるコンポーネント（Ｃ２）１０Ａの、簡略左側面図であり、図４Ｄは、簡略右側面図である。図４Ｃ及び図４Ｄに示すように、右側ショルダ１２Ａ及び左側ショルダ１２Ｂは、上面１２Ｅにおいて、外側背面部１２Ｆまで内側に減少する。述べたように、ショルダの減少は、ＭＰＣ  ５ＡのＣ１  ２０Ａの上側の側面部を露出し得る。
【００２４】
図４Ｅは、様々な実施形態に係る、マルチコンポーネントの電力供給されるケース（ＭＰＣ）５Ａの第２の電力供給されるコンポーネント（Ｃ２）１０Ａの、簡略上面図であり、図４Ｆは、簡略底面図である。図４Ｆに示すように、Ｃ２  １０Ａのベース１２Ｃは、コネクタがパワーモジュール１１０Ａ、１１０Ｂ、及び１１０Ｄの外部パワーインタフェース１６Ｅと連結することを可能にする開口１２Ｇを含み得る。図４Ｇは、様々な実施形態に係る、マルチコンポーネントの電力供給されるケース（ＭＰＣ）５Ａの第２の電力供給されるコンポーネント（Ｃ２）１０Ａの、簡略な、更に拡大された、部分的な等角投影図であり、図４Ｈは、簡略な、更に拡大された、部分的な等角投影図である。図４Ｇ及び図４Ｈに示すように、レール１４Ｂの切り込み１５Ｂは、傾斜のあるレール入り口１５Ｃ及びレール入れ込み１５Ｄを含み得る。傾斜のあるレール入り口１５Ｃは、レール１４Ａ、１４Ｂを、対応するレール差し込み２４Ａ、２４Ｂ内へ、進みやすくし得る。
【００２５】
図５Ａは、様々な実施形態に係る、マルチコンポーネントの電力供給されるケース（ＭＰＣ）５Ａの第１のコンポーネント（Ｃ１）２０Ａの第１のモジュール２２Ａの、簡略正面図であり、図５Ｂは、簡略配面図である。図５Ｃは、様々な実施形態に係る、マルチコンポーネントの電力供給されるケース（ＭＰＣ）５Ａの第１のコンポーネント（Ｃ１）２０Ａの第１のモジュール２２Ａの、簡略左側面図であり、図５Ｄは、簡略右側面図である。図５Ｅは、様々な実施形態に係る、マルチコンポーネントの電力供給されるケース（ＭＰＣ）５Ａの第１のコンポーネント（Ｃ１）の第１のモジュール２２Ａの、簡略上面図であり、図５Ｆは、簡略底面図である。図５Ａ−５Ｆに示すように、モジュール２２Ａは、右側レールの開口２２Ｄ、左側レールの開口２２Ｄ、上面部２２Ｆ、底面部２２Ｇ、及びデバイスの開口２２Ａ、２７Ｂ、及び２７Ｃを含み得る。
【００２６】
図６Ａは、様々な実施形態に係る、マルチコンポーネントの電力供給されるケース（ＭＰＣ）５Ａの第１のコンポーネント（Ｃ１）２０Ａの第２のモジュール２８Ａの、簡略正面図であり、図６Ｂは、簡略背面図である。図６Ｃは、様々な実施形態に係る、マルチコンポーネントの電力供給されるケース（ＭＰＣ）５Ａの第１のコンポーネント（Ｃ１）２０Ａの第２のモジュール２８Ａの、簡略左側面図であり、図６Ｄは、簡略右側面図である。図６Ｅは、様々な実施形態に係る、マルチコンポーネントの電力供給されるケース（ＭＰＣ）５Ａの第１のコンポーネント（Ｃ１）２０Ａの第２のモジュール２８Ａの、簡略上面図であり、図６Ｆは、簡略底面図である。図６Ａ−６Ｆに示すように、モジュール２８Ａは、右側レール入れ込み又は差し込み２４Ａ、左側レール入れ込み又は差し込み２４Ｂ、右側面２８Ｉ、左側面２８Ｈ、並びに内側背面部２８Ｆ及び外側背面部２８Ｇ、並びにデバイス開口２９Ａ、２９Ｂ、及び２９Ｃを含み得る。
【００２７】
図７Ａは、様々な実施形態に係る、マルチコンポーネントの電力供給されるケース（ＭＰＣ）５Ｂの第１のコンポーネント（Ｃ１）２０Ｂのモジュール２２Ａ及び２８Ａの、簡略な、展開された、等角投影図である。図７Ａに示すように、Ｃ１  ２０Ｂのモジュール２２Ａは、フロントリップ２２Ｂ、第１の電子デバイスのボタン延在部２２Ｃ、背面延在部２２Ｈ、左上の開口２７Ａ、右上の開口２７Ｂ、及び下中央の開口２７Ｃを含み得る。Ｃ１  ２０Ｂのモジュール２８Ａは、左側面上側のボタン開口２８Ｂ、右側面上側のボタン開口２８Ｃ、レールくぼみ２４Ａ、レール延在部２５Ａ、内側背面部２８Ｆの上側背面の開口２９Ａ、右下の開口２９Ｂ、底面中央の開口２９Ｃ、底面右の開口２９Ｄ、第１の入れ子可能なカバー部２３Ａ、及び第２の入れ子可能なカバー部２３Ｂを含み得る。第１のカバー部２３Ａは、開口２９Ｃ及び２７Ｃを係合するようにサイズ採りされて、形成され得る。第２のカバー部２３Ｂは、開口２９Ｄを係合するようにサイズ採りされて、形成され得る。モジュール２２Ａの背面延在部２２Ｈは、モジュール２８Ａの外側背面部２８Ｇと適合して、係合し得る。第１の入れ子可能なカバー部２３Ａは、電子インタフェースコネクタ１３Ａが、電子デバイス３０Ａのコネクタ３２Ｇ内へ通過することを可能にするようにサイズ採りされた開口２３Ｃを含み得る。
【００２８】
図７Ｂは、様々な実施形態に係る、第１のコンポーネント（Ｃ１）２０Ｂが、電子デバイス３０Ａと連結されて、完全に前進し、第２の電力供給されるコンポーネント（Ｃ２）１０Ｂと連結される、マルチコンポーネントの電力供給されるケース（ＭＰＣ）５Ｂを含む構造１００Ｂの簡略背面図である。図７Ｂに示すように、Ｃ２  １０Ｂは、カメラ３２Ｂ及び近距離無線通信モジュール３２Ｃを含む一つ又はそれ以上の電子デバイス３０Ａのコンポーネントと対応し得る、複数の開口又は窓１７Ａ及び１７Ｂを有する。図７Ｂにも示すように、第２のコンポーネント１０Ｂは、パワーモジュール１１０Ｂを含み得る。図７Ｂ及び図８Ｂに示すように、パワーモジュール１１０Ｂは、電気エネルギ蓄積モジュール１６Ａ、制御モジュール１６Ｂ、ユーザ制御ディスプレイモジュール１６Ｃ、誘導充電モジュール１６Ｄ、外部パワーインタフェース１６Ｅ、及び電子デバイスインタフェース１６Ｆを含み得る。パワーモジュール１１０Ｂは、電力を、誘電を介して（誘導モジュール１６Ｄを介して）電子デバイス３０Ａへ、又は電子デバイスインタフェース１６Ｆへ、提供し得る。パワーモジュール１１０Ｂは、電気エネルギを、誘導（誘導モジュール１６Ｄ）を介して、又は外部パワーインタフェースモジュール１６Ｅを介して直接に、受け取り得る。
【００２９】
様々な実施形態の新規の装置及びシステムを含み得る利用例は、高速コンピュータ、通信及び信号処理回路、モデム、単独の又はマルチのプロセッサモジュール、単独の又はマルチの組み込みプロセッサ、データスイッチ、並びにマルチレイヤのマルチチップモジュールを含む特定用途のモジュールに用いられる電子回路を含む。そのような装置及びシステムは、更に、テレビ、携帯電話、パーソナルコンピュータ（例えば、ラップトップコンピュータ、デスクトップコンピュータ、ハンドヘルドコンピュータ、タブレットコンピュータなど）、ワークステーション、ラジオ、ビデオプレーヤ、オーディオプレーヤ（例えば、ｍｐ３プレーヤ）、車両、医療デバイス（例えば、心臓モニタ、血圧モニタなど）などの、様々な電子システムの内部のサブコンポーネントとして含まれ得る。いくつかの実施形態は、複数の方法を含み得る。
【００３０】
本明細書に記載した活動を、記載した順序以外の順序で実施することは、考えられ得る。本明細書に規定した方法について記載した様々な活動は、繰り返して、直列の又は並列の方法で実行されてよい。本発明の一部を形成する添付の図面は、説明の目的で、限定する目的でなく、主題が実施され得る特定の実施形態を示す。説明される実施形態は、当業者であれば、本明細書に開示される教示を実施することができるように、十分詳細に記載される。他の実施形態は、そこから利用され、及び導出され得、そのことによって、構造上の及び論理的な置換及び変更は、本開示の範囲から乖離することなく行われ得る。この詳細な説明は、したがって、限定する意味で捉えるべきではなく、様々な実施形態の範囲は、そのような請求項が権利を有する範囲と等価の全範囲と合わせて、添付の請求項によってのみ規定される。
【００３１】
発明の主題のそのような実施形態は、一つ以上の実施形態が実際に開示される場合に、単に便宜上、用語「発明」によって、及びこの出願の範囲を任意の単独の発明又は発明の構想に自発的に限定するように意図することなく、本明細書へ、個別に、集合的に示され得る。よって、特定の実施形態は、本明細書に説明され、記載されたが、同様の目的を達成するように計算された構成は、示した特定の実施形態を置換し得る。本開示は、様々な実施形態の任意の及び全ての適用又は変動をカバーするように意図されている。前記実施形態と、本明細書に特に記載されない他の実施形態との組み合わせは、前記の記載を再検討することにより、当業者に明らかであろう。
【００３２】
本開示の要約は、読者が技術的開示の性質を即座に特定し得る要約を要求する３７ＣＦＲ  １．７２（ｂ）を満たすように提供される。請求項の範囲又は意図を解釈するために、又は限定するために用いられ得ないという理解で提出される。前述の詳細な説明において、種々の特徴は、本開示を簡素化する目的で、単独の実施形態にグループ分けされる。本開示のこの方法は、それぞれの請求項に明確に列挙されるよりも多くの特徴を要求するように解釈されるべきではない。むしろ、発明の主題は、単独の開示された実施形態の全体の特徴より少なく見出され得る。よって、以下の請求項は、個々の請求項が独立の実施形態として自立して、本明細書の、詳細な説明の中へ組み込まれる。
【図１Ａ】
2017514424.tif 000003
【図１Ｂ】
2017514424.tif 000004
【図１Ｃ】
2017514424.tif 000005
【図１Ｄ】
2017514424.tif 000006
【図１Ｅ】
2017514424.tif 000007
【図１Ｆ】
2017514424.tif 000008
【図２Ａ】
2017514424.tif 000009
【図２Ｂ】
2017514424.tif 000010
【図３Ａ】
2017514424.tif 000011
【図３Ｂ】
2017514424.tif 000012
【図３Ｃ】
2017514424.tif 000013
【図３Ｄ】
2017514424.tif 000014
【図３Ｅ】
2017514424.tif 000015
【図３Ｆ】
2017514424.tif 000016
【図３Ｇ】
2017514424.tif 000017
【図３Ｈ】
2017514424.tif 000018
【図３Ｉ】
2017514424.tif 000019
【図４Ａ】
2017514424.tif 000020
【図４Ｂ】
2017514424.tif 000021
【図４Ｃ】
2017514424.tif 000022
【図４Ｄ】
2017514424.tif 000023
【図４Ｅ】
2017514424.tif 000024
【図４Ｆ】
2017514424.tif 000025
【図４Ｇ】
2017514424.tif 000026
【図４Ｈ】
2017514424.tif 000027
【図５Ａ】
2017514424.tif 000028
【図５Ｂ】
2017514424.tif 000029
【図５Ｃ】
2017514424.tif 000030
【図５Ｄ】
2017514424.tif 000031
【図５Ｅ】
2017514424.tif 000032
【図５Ｆ】
2017514424.tif 000033
【図６Ａ】
2017514424.tif 000034
【図６Ｂ】
2017514424.tif 000035
【図６Ｃ】
2017514424.tif 000036
【図６Ｄ】
2017514424.tif 000037
【図６Ｅ】
2017514424.tif 000038
【図６Ｆ】
2017514424.tif 000039
【図７Ａ】
2017514424.tif 000040
【図７Ｂ】
2017514424.tif 000041
【図８Ａ】
2017514424.tif 000042
【図８Ｂ】
2017514424.tif 000043
【図８Ｃ】
2017514424.tif 000044
【図８Ｄ】
2017514424.tif 000045
【国際調査報告】
2017514424.tif 000046